(57)【要約】【課題】粘着材を用いることなく、つけまつげを湾曲させた状態で保管することができるつけまつげ保持器を提供する。【解決手段】つけまつげ保持器は、つけまつげを収容する第１凹部を有する収容体と、収容体の第１凹部に挿入される第１凸部を有する蓋体と、を備える。第１凹部は、平面視において円弧状の形状を有する第１壁面と、第１底面とを含む。第１凸部は、第１凸部が第１凹部に挿入されているときに第１凹部の第１壁面に対向し、第１壁面との間でつけまつげの基部を挟む第１側面と、第１頂面とを含む。【選択図】図１
2020188878.tif 000002
【特許請求の範囲】
【請求項１】
つけまつげを収容するつけまつげ保持器であって、
前記つけまつげを収容する第１凹部を有する収容体と、
前記収容体の前記第１凹部に挿入される第１凸部を有する蓋体と、を備え、
前記第１凹部は、平面視において円弧状の形状を有する第１壁面と、第１底面とを含み、
前記第１凸部は、前記第１凸部が前記第１凹部に挿入されているときに前記第１凹部の前記第１壁面に対向し、前記第１壁面との間でつけまつげの基部を挟む第１側面と、第１頂面とを含む、つけまつげ保持器。
【請求項２】
前記収容体の前記第１凹部の前記第１壁面及び前記蓋体の前記第１凸部の前記第１側面はいずれも直線状に延びており、
前記つけまつげ保持器の厚み方向において、前記蓋体の前記第１凸部の前記第１側面の寸法は前記収容体の前記第１凹部の前記第１壁面の寸法よりも小さい、請求項１に記載のつけまつげ保持器。
【請求項３】
前記蓋体の前記第１凸部の前記第１頂面は、前記収容体の前記第１凹部の前記第１壁面と前記蓋体の前記第１凸部との間の間隔が、前記蓋体の前記第１凸部の前記第１側面と前記第１頂面との境界から離れるにつれて拡大するよう、構成されている、請求項２に記載のつけまつげ保持器。
【請求項４】
前記蓋体の前記第１凸部の前記第１頂面は、前記収容体の前記第１凹部の前記第１底面に向かって突出した湾曲面を有する、請求項２又は３に記載のつけまつげ保持器。
【請求項５】
前記収容体は、前記第１凹部の前記第１壁面の内側に形成されている第２凹部を有し、
前記蓋体は、前記収容体の前記第２凹部に挿入される第２凸部を有し、
前記第２凹部は、平面視において前記第１壁面との間に間隔を有するよう前記第１壁面に沿って広がる第２壁面を含み、
前記第１凸部は、前記第１凸部が前記第１凹部に挿入されているときに前記第２凹部の前記第２壁面に対向する第２側面を含む、請求項１乃至４のいずれか一項に記載のつけまつげ保持器。
【請求項６】
前記つけまつげ保持器の厚み方向において、前記第２凹部の寸法は前記第１凹部の寸法よりも小さい、請求項５に記載のつけまつげ保持器。
【発明の詳細な説明】
【技術分野】
【０００１】
本発明は、つけまつげを収容するつけまつげ保持器に関する。
【背景技術】
【０００２】
つけまつげを湾曲させた状態で保管するつけまつげケースが知られている。例えば特許文献１は、凸状の曲面を有する壁面部につけまつげの基部を粘着材で固定した状態でつけまつげを保管するつけまつげケースを開示している。
【先行技術文献】
【特許文献】
【０００３】
【特許文献１】特開２０１１−１７７３９５号公報
【発明の概要】
【発明が解決しようとする課題】
【０００４】
つけまつげをケースから取り出すときに、粘着材の粘着力が強いと、つけまつげの一部が抜けたりつけまつげの基部が変形したりすることが考えられる。また、時間の経過とともに粘着材に変色が生じ、外観が悪くなることも考えられる。また、時間の経過とともに粘着材が固化し、つけまつげをケースから取り出し難くなることも考えられる。
【０００５】
本発明は、このような課題を効果的に解決し得るつけまつげ保持器を提供することを目的とする。
【課題を解決するための手段】
【０００６】
本発明は、つけまつげを収容するつけまつげ保持器であって、
前記つけまつげを収容する第１凹部を有する収容体と、
前記収容体の前記第１凹部に挿入される第１凸部を有する蓋体と、を備え、
前記第１凹部は、平面視において円弧状の形状を有する第１壁面と、第１底面とを含み、
前記第１凸部は、前記第１凸部が前記第１凹部に挿入されているときに前記第１凹部の前記第１壁面に対向し、前記第１壁面との間でつけまつげの基部を挟む第１側面と、第１頂面とを含む、つけまつげ保持器である。
【０００７】
本発明によるつけまつげ保持器において、前記収容体の前記第１凹部の前記第１壁面及び前記蓋体の前記第１凸部の前記第１側面はいずれも直線状に延びており、
前記つけまつげ保持器の厚み方向において、前記蓋体の前記第１凸部の前記第１側面の寸法は前記収容体の前記第１凹部の前記第１壁面の寸法よりも小さくてもよい。
【０００８】
本発明によるつけまつげ保持器において、前記蓋体の前記第１凸部の前記第１頂面は、前記収容体の前記第１凹部の前記第１壁面と前記蓋体の前記第１凸部との間の間隔が、前記蓋体の前記第１凸部の前記第１側面と前記第１頂面との境界から離れるにつれて拡大するよう、構成されていてもよい。
【０００９】
本発明によるつけまつげ保持器において、前記蓋体の前記第１凸部の前記第１頂面は、前記収容体の前記第１凹部の前記第１底面に向かって突出した湾曲面を有していてもよい。
【００１０】
本発明によるつけまつげ保持器において、前記収容体は、前記第１凹部の前記壁面の内側に形成されている第２凹部を有し、
前記蓋体は、前記収容体の前記第２凹部に挿入される第２凸部を有し、
前記第２凹部は、平面視において前記第１壁面との間に間隔を有するよう前記第１壁面に沿って広がる第２壁面を含み、
前記第１凸部は、前記第１凸部が前記第１凹部に挿入されているときに前記第２凹部の前記第２壁面に対向する第２側面を含んでいてもよい。
【００１１】
本発明によるつけまつげ保持器において、前記つけまつげ保持器の厚み方向において、前記第２凹部の寸法は前記第１凹部の寸法よりも小さくてもよい。
【発明の効果】
【００１２】
本発明のつけまつげ保持器によれば、粘着材を用いることなく、つけまつげを湾曲させた状態で保管することができる。
【図面の簡単な説明】
【００１３】
【図１】収容体と蓋体とが分離された状態のつけまつげ保持器を示す斜視図である。
【図２】つけまつげを収容した状態のつけまつげ保持器を示す平面図である。
【図３】図２のつけまつげ保持器をIII−III方向から見た場合を示す断面図である。
【図４】収容体を示す平面図である。
【図５】図４の収容体をV−V方向から見た場合を示す断面図である。
【図６】蓋体を示す平面図である。
【図７】図６の蓋体をVII−VII方向から見た場合を示す断面図である。
【図８】つけまつげ保持器につけまつげを収容する方法を説明する図である。
【発明を実施するための形態】
【００１４】
以下、本発明の実施形態に係るつけまつげ保持器について、図面を参照しながら詳細に説明する。なお、以下に示す実施形態は、本発明の実施形態の一例であって、本発明はこれらの実施形態に限定して解釈されるものではない。また、本実施形態で参照する図面において、同一部分または同様な機能を有する部分には同一の符号または類似の符号を付し、その繰り返しの説明は省略する場合がある。また、図面の寸法比率は、説明の都合上、実際の比率とは異なる場合があり、また、構成の一部が図面から省略される場合がある。
【００１５】
図１は、つけまつげ保持器１０を示す斜視図である。つけまつげ保持器１０は、収容体２０と、収容体２０を覆う蓋体３０とを備える。図１においては、収容体２０と蓋体３０とが分離された状態を示している。図１には示されていないが、つけまつげは、収容体２０と蓋体３０とを組み合わせた状態において収容体２０と蓋体３０との間に位置するようつけまつげ保持器１０に収容される。
【００１６】
収容体２０は、つけまつげを収容する第１凹部２１を少なくとも有する。収容体２０は、第１凸部３１に隣接する第２凸部３６を更に有していてもよい。また、蓋体３０は、収容体２０の第１凹部２１に挿入されるよう収容体２０に向かって突出する第１凸部３１を少なくとも有する。蓋体３０は、第１凸部３１に隣接する第２凸部３６を更に有していてもよい。
【００１７】
収容体２０及び蓋体３０は、例えば、合成樹脂を成形することによって作製される。合成樹脂は、透明なものであってもよく、着色されたものであってもよい。収容体２０又は蓋体３０を構成する合成樹脂が透明である場合、つけまつげ保持器１０に収容されている状態のつけまつげを消費者が視認することができる。
【００１８】
なお、図１においては、収容体２０と蓋体３０とが、分離可能な別個の部材である例を示しているが、これに限られることはなく、収容体２０と蓋体３０とが一体的な部材であってもよい。例えば、収容体２０と蓋体３０とは、ヒンジ部などによって接続されていてもよい。
【００１９】
図２及び図３を参照して、つけまつげ保持器１０及びつけまつげ保持器１０に収容されるつけまつげ５０について詳細に説明する。図２は、つけまつげ５０を収容した状態のつけまつげ保持器１０を示す平面図である。また、図３は、図２のつけまつげ保持器１０をIII−III方向から見た場合を示す断面図である。
【００２０】
図２に示すように、つけまつげ５０は、平面視において円弧状に湾曲した状態で線状に延びる基部５１と、基部５１に取り付けられた多数の繊毛部５２と、を有する。図３に示すように、繊毛部５２は、つけまつげ保持器１０の厚み方向において湾曲した状態でつけまつげ保持器１０に収容されていてもよい。
【００２１】
つけまつげ５０の基部５１には、つけまつげ保持器１０に収容される前の状態において、人のまぶたの形状に対応した湾曲が付与されていてもよい。例えば、つけまつげ５０に熱を加えた状態でつけまつげ５０の基部５１を湾曲させることにより、基部５１に湾曲形状を付与することができる。若しくは、つけまつげ５０の基部５１に圧力を加えることによって、基部５１に湾曲形状を付与することもできる。繊毛部５２も同様に、つけまつげ保持器１０に収容される前の状態において湾曲が付与されていてもよい。
【００２２】
本実施の形態のつけまつげ保持器１０は、２つのつけまつげ５０を収容するよう構成されている。なお、つけまつげ保持器１０に収容されるつけまつげ５０の数は任意である。
【００２３】
図２及び図３に示すように、収容体２０の第１凹部２１及び蓋体３０の第１凸部３１は、平面視において、つけまつげ５０の基部５１に対応した円弧状の形状を有する。具体的には、収容体２０の第１凹部２１は、平面視において円弧状の形状を有する第１壁面２３と、第１壁面２３に接続されている第１底面２２とを含む。また、蓋体３０の第１凸部３１は、第１凸部３１が収容体２０の第１凹部２１に挿入されているときに第１凹部２１の第１壁面２３に対向する第１側面３３と、第１側面３３に接続されている第１頂面３２とを含む。図３に示すように、蓋体３０の第１凸部３１の第１側面３３は、収容体２０の第１凹部２１の第１壁面２３との間でつけまつげ５０の基部５１を挟んでいる。これにより、つけまつげ保持器１０は、基部５１の湾曲状態を維持した状態でつけまつげ５０を収容することができる。なお「挟む」とは、基部５１が、収容体２０の第１凹部２１の第１壁面２３及び蓋体３０の第１凸部３１の第１側面３３の両方に接している部分を含んでいることを意味する。蓋体３０を構成する合成樹脂が透明である場合、蓋体３０側からつけまつげ保持器１０を視認することによって、基部５１が第１凹部２１の第１壁面２３及び第１凸部３１の第１側面３３の両方に接していることを確認することができる。
【００２４】
図３に示すように、つけまつげ５０の繊毛部５２の先端側の部分は、収容体２０の第１凹部２１及び蓋体３０の第１凸部３１によって挟まれていなくてもよい。例えば、繊毛部５２の先端側の部分は、収容体２０の第１凹部２１又は蓋体３０の第１凸部３１の少なくとも一方に接していない部分を含んでいてもよい。これによって、つけまつげ５０がつけまつげ保持器１０に収容されている間に繊毛部５２が不自然に湾曲してしまうことを抑制することができる。なお「先端側の部分」とは、繊毛部５２のうち基部５１よりも繊毛部５２の先端に近接している部分を意味する。
【００２５】
次に、図４及び図５を参照して、収容体２０について詳細に説明する。図４は、収容体２０を示す平面図である。また、図５は、図４の収容体２０をV−V方向から見た場合を示す断面図である。
【００２６】
図４及び図５に示すように、収容体２０は、平面視における収容体２０の輪郭を構成する第１ベース面２０Ａと、第１ベース面２０Ａに接続され、つけまつげ保持器１０の厚み方向に広がる第１外壁面２０Ｂと、第１外壁面２０Ｂに接続され、第１ベース面２０Ａと平行に広がる第１成形面２０Ｃと、を有している。第１ベース面２０Ａは、プレス成形などのシート成形法によってシートを成形して収容体２０を作製する場合に、シートのうち型によって挟圧されている部分の面である。また、第１成形面２０Ｃは、シートのうち型によって第１ベース面２０Ａから押し込まれた面であり、第１外壁面２０Ｂは、第１ベース面２０Ａと第１成形面２０Ｃとの間に広がる面である。上述の第１凹部２１及び第２凹部２６は、第１成形面２０Ｃよりも第１ベース面２０Ａ側へ凹んでいる。
【００２７】
図５に示すように、第１凹部２１の第１壁面２３は、断面図において第１成形面２０Ｃの側から第１ベース面２０Ａの側へ、第１ベース面２０Ａの面方向に対して傾斜した方向において直線状に延びていてもよい。図５において、符号θ１は、第１ベース面２０Ａの面方向に対して第１壁面２３が成す角度を表す。角度θ１は、例えば９０°以上１３５°以下である。また、第１底面２２は、少なくとも部分的に、第１ベース面２０Ａの面方向と平行に広がっていてもよい。
【００２８】
次に、収容体２０の第２凹部２６について説明する。図４に示すように、第２凹部２６は、湾曲した形状の第１凹部２１の第１壁面２３の半径方向における内側に形成されている。第２凹部２６は、平面視において第１凹部２１の第１壁面２３との間に間隔を有するよう第１壁面２３に沿って広がる第２壁面２８と、第２壁面２８に接続されている第２底面２７と、を含む。以下の説明において、収容体２０のうち第１凹部２１の第１壁面２３と第２凹部２６の第２壁面２８との間に位置する部分のことを中間部２９とも称する。
【００２９】
図５に示すように、つけまつげ保持器１０の厚み方向における第２凹部２６の寸法Ｈ２は、厚み方向における第１凹部２１の寸法Ｈ１よりも小さくてもよい。第２凹部２６の寸法Ｈ２は、第１凹部２１の寸法Ｈ１の例えば１／２以下である。
【００３０】
次に、図６及び図７を参照して、蓋体３０について詳細に説明する。図６は、蓋体３０を示す平面図である。また、図７は、図６の蓋体３０をVII−VII方向から見た場合を示す断面図である。
【００３１】
図６及び図７に示すように、蓋体３０は、平面視における蓋体３０の輪郭を構成する第２ベース面３０Ａと、第２ベース面３０Ａに接続され、つけまつげ保持器１０の厚み方向に広がる第２外壁面３０Ｂと、第２外壁面３０Ｂに接続され、第２ベース面３０Ａと平行に広がる第２成形面３０Ｃと、を有している。第２ベース面３０Ａは、収容体２０の場合と同様に、プレス成形などのシート成形法によってシートを成形して蓋体３０を作製する場合に、シートのうち型によって挟圧されている部分の面である。また、第２成形面３０Ｃは、シートのうち型によって第２ベース面３０Ａから押し込まれた面であり、第２外壁面３０Ｂは、第２ベース面３０Ａと第２成形面３０Ｃとの間に広がる面である。上述の第１凸部３１及び第２凸部３６は、第２成形面３０Ｃよりも第２ベース面３０Ａ側へ突出している。
【００３２】
蓋体３０の第２外壁面３０Ｂの位置は、蓋体３０と収容体２０とを組み合わせたときに収容体２０の第１外壁面２０Ｂと蓋体３０の第２外壁面３０Ｂとがかみ合うよう設定されている。これにより、収容体２０に対して蓋体３０を固定することができる。
【００３３】
図７に示すように、第１凸部３１の第１側面３３は、断面図において第２成形面３０Ｃの側から第２ベース面３０Ａの側へ、第２ベース面３０Ａの面方向に対して傾斜した方向において直線状に延びていてもよい。図７において、符号θ２は、第２ベース面３０Ａの面方向に対して第１側面３３が成す角度を表す。角度θ２は、例えば９０°以上１３５°以下である。
【００３４】
好ましくは、角度θ２は、収容体２０の第１凹部２１の第１壁面２３における角度θ１と略同一である。例えば、角度θ２と角度θ１の差は５°以下であり、３°以下であってもよく、２°以下であってもよい。これにより、収容体２０の第１壁面２３と蓋体３０の第１側面３３との間でつけまつげ５０の基部５１を適切に挟むことができる。
【００３５】
図７において、符号Ｋ２は、つけまつげ保持器１０の厚み方向における第１凸部３１の第１側面３３の寸法を表す。好ましくは、第１側面３３の寸法Ｋ２は、つけまつげ保持器１０の厚み方向における収容体２０の第１凹部２１の第１壁面２３の寸法Ｋ１（図５参照）よりも小さい。この場合、上述の図３に示されているように、第１凸部３１の第１側面３３に加えて第１頂面３２の一部が収容体２０の第１凹部２１の第１壁面２３に対向するようになる。
【００３６】
図７に示すように、第１凸部３１の第１頂面３２は、収容体２０の第１凹部２１の第１底面２２に向かって突出した湾曲面を有していてもよい。この場合、好ましくは、第１頂面３２は、収容体２０の第１凹部２１の第１壁面２３と蓋体３０の第１凸部３１との間の間隔が、蓋体３０の第１凸部３１の第１側面３３と第１頂面３２との境界から離れるにつれて拡大するよう、構成されている。これにより、上述の図３に示されているように、収容体２０の第１凹部２１の第１壁面２３と蓋体３０の第１凸部３１の第１頂面３２との間では繊毛部５２が挟まれないようにすることができる。これによって、繊毛部５２が不自然に湾曲してしまうことを抑制することができる。
【００３７】
次に、蓋体３０の第２凸部３６について説明する。図６に示すように、第２凸部３６は、湾曲した形状の第１凸部３１の第１側面３３の半径方向における内側に形成されている。第２凸部３６は、平面視において第１凸部３１の第１側面３３との間に間隔を有するよう第１側面３３に沿って広がる第２側面３８と、第２側面３８に接続されている第２頂面３７と、を含む。第２側面３８は、蓋体３０の第１凸部３１が収容体２０の第１凹部２１に挿入されているときに、収容体２０の第２凹部２６の第２壁面２８に対向する。以下の説明において、蓋体３０のうち第１凸部３１の第１側面３３と第２凸部３６の第２側面３８との間に位置する部分のことを中間部３９とも称する。
【００３８】
図７に示すように、つけまつげ保持器１０の厚み方向における第２凸部３６の寸法Ｈ４は、厚み方向における第１凸部３１の寸法Ｈ３よりも小さくてもよい。第２凸部３６の寸法Ｈ４は、第１凸部３１の寸法Ｈ３の例えば１／２以下である。
【００３９】
また、つけまつげ保持器１０の厚み方向における蓋体３０の第１凸部３１の寸法Ｈ３は、厚み方向における収容体２０の第１凹部２１の寸法Ｈ１よりも小さくてもよい。第１凸部３１の寸法Ｈ３は、第１凹部２１の寸法Ｈ１の例えば９／１０以下であり、８／１０以下であってもよい。
【００４０】
次に、このような構成からなる本実施の形態の作用および効果について説明する。ここでは、つけまつげ保持器１０につけまつげ５０を収容する方法の一例について説明する。
【００４１】
まず、図８に示すように、第１凸部３１が上を向くように上下反転させた状態の蓋体３０を準備する。また、人のまぶたの形状に対応した湾曲が付与されているつけまつげ５０を準備する。続いて、蓋体３０の第１凸部３１上につけまつげ５０を載置する。この際、つけまつげ５０の基部５１が中間部３９に位置するようにつけまつげ５０を載置する。第１凸部３１が上を向いているので、つけまつげ５０に作用する重力により、つけまつげ５０の湾曲形状が蓋体３０の第１凸部３１に沿うようにつけまつげ５０の姿勢を整えやすい。
【００４２】
また、上下反転した状態の蓋体３０においては、図８に示すように、第１凸部３１の第１側面３３と第２凸部３６の第２側面３８との間に位置する中間部３９が溝として機能する。このため、中間部３９は、つけまつげ５０の基部５１が溝状の中間部３９から外れることを抑制するよう機能し得る。この状態で、図８において矢印で示すように、収容体２０を蓋体３０に被せるように、収容体２０を蓋体３０に近づけていく。この際、まず、収容体２０の中間部２９又は第１凹部２１の第１壁面２３が、つけまつげ５０の基部５１、又はつけまつげ５０の繊毛部５２のうち基部５１に近い部分に接触する。この際に生じる摩擦力などの力により、つけまつげ５０の基部５１が延びる方向が、図８の紙面の法線方向に沿って整えられ、また、複数の繊毛部５２の位置も整えられる。続いて、収容体２０の中間部２９が蓋体３０の中間部３９に挿入される。これにより、つけまつげ５０の基部５１を蓋体３０の中間部３９又は第１凸部３１の第１側面３３に密着させ、第１凸部３１の第１側面３３と第１凹部２１の第１壁面２３との間で基部５１を挟むことができる。また、収容体２０の第１凹部２１に蓋体３０の第１凸部３１が挿入され、収容体２０の第２凹部２６に蓋体３０の第２凸部３６が挿入される。また、収容体２０の第１外壁面２０Ｂと蓋体３０の第２外壁面３０Ｂとがかみ合うことにより、収容体２０に対して蓋体３０を固定することができる。
【００４３】
本実施の形態によれば、収容体２０の第１凹部２１の第１壁面２３と蓋体３０の第１凸部３１の第１側面３３との間でつけまつげ５０の基部５１を挟むことにより、粘着材を用いることなく、つけまつげ５０の基部５１を湾曲させた状態で保管することができる。このため、使用者がつけまつげ５０をつけまつげ保持器１０から取り出すときに、つけまつげ５０の繊毛部５２の一部が抜けたり基部５１が変形したりすることを抑制することができる。
【００４４】
また、本実施の形態によれば、収容体２０の第１凹部２１の第１壁面２３と蓋体３０の第１凸部３１の第１頂面３２との間では繊毛部５２が挟まれないことにより、繊毛部５２が不自然に湾曲してしまうことを抑制することができる。
【００４５】
また、本実施の形態によれば、上下反転させた状態の蓋体３０につけまつげ５０を載置し、その後に収容体２０を被せることにより、収容体２０と蓋体３０とを組み合わせる際につけまつげ５０の位置がずれることを抑制することができる。これにより、つけまつげ５０をつけまつげ保持器１０に収容する作業の効率を高めることができる。つけまつげ５０の位置ずれは、収容体２０が第２凹部２６を有し蓋体３０が第２凸部３６を有することによって更に抑制され得る。
【００４６】
また、本実施の形態によれば、つけまつげ５０をつけまつげ保持器１０に収容する作業の効率が高いので、このような作業を、日本のような人件費の高い地域で行うことも可能になる。これにより、以下に説明する比較の形態に比べて、つけまつげ保持器１０に収容されているつけまつげ５０の品質を高めることができる。また、輸送コストを低減し易い。また、つけまつげ５０の転用もし易くなる。
【００４７】
比較の形態として、人件費の安い地域で粘着材を用いてつけまつげ５０をつけまつげ保持器１０に固定し、つけまつげ５０がつけまつげ保持器１０に収容された状態で日本などの消費地に輸入する場合を考える。この場合、輸入時のコンテナの温度や、粘着材を用いてつけまつげ５０をつけまつげ保持器１０に固定する際の気温のばらつきなどに起因して、消費地に到着した時のつけまつげ５０に付着している粘着材の粘着力や変色の程度にばらつきが生じ得る。また、収容体２０と蓋体３０とが組み合わされた状態で輸送されるので、つけまつげ保持器１０の体積が大きくなり、輸送コストが高くなる。また、つけまつげ５０が既につけまつげ保持器１０に固着されているので、つけまつげ５０の転用も不可能である。
【００４８】
これに対して、本実施の形態によれば、つけまつげ５０とつけまつげ保持器１０とを別個に人件費の安い地域で製造し、日本などの消費地に輸入し、消費地においてつけまつげ５０をつけまつげ保持器１０に収容することができる。このため、つけまつげ保持器１０に収容されているつけまつげ５０の品質にばらつきが生じにくい。また、収容体２０と蓋体３０とが組み合わされていない状態で輸送することができるので、収容体２０及び蓋体３０をそれぞれ効率的に積載することができ、輸送コストを低くすることができる。また、消費地でのニーズに応じてつけまつげ５０の形状や寸法を消費地において柔軟に調整することができる。また、１つのつけまつげ保持器１０に収容されるつけまつげ５０の数や組み合わせを消費地で調整することもできる。また、つけまつげ５０がつけまつげ保持器１０に固着されないので、一旦つけまつげ５０をつけまつげ保持器１０にした後、つけまつげ５０をその他のつけまつげ保持器１０に移し替えることもできる。
【００４９】
なお、上述した実施の形態においては、収容体２０が第２凹部２６を有し蓋体３０が第２凸部３６を有する例を示したが、これに限られることはない。例えば、収容体２０に第２凹部２６が形成されておらず、又は、蓋体３０に第２凸部３６が形成されていなくてもよい。この場合であっても、収容体２０の第１凹部２１の第１壁面２３と蓋体３０の第１凸部３１の第１側面３３との間でつけまつげ５０の基部５１を挟むことにより、粘着材を用いることなく、つけまつげ５０の基部５１を湾曲させた状態で保管することができる。
【符号の説明】
【００５０】
１０  つけまつげ保持器
２０  収容体
２０Ａ  第１ベース面
２０Ｂ  第１外壁面
２０Ｃ  第１成形面
２１  第１凹部
２２  第１底面
２３  第１壁面
２６  第２凹部
２７  第２底面
２８  第２壁面
２９  中間部
３０  蓋体
３０Ａ  第２ベース面
３０Ｂ  第２外壁面
３０Ｃ  第２成形面
３１  第１凸部
３２  第１頂面
３３  第１側面
３６  第２凸部
３７  第２頂面
３８  第２側面
３９  中間部
５０  つけまつげ
５１  基部
５２  繊毛部
【図１】
2020188878.tif 000003
【図２】
2020188878.tif 000004
【図３】
2020188878.tif 000005
【図４】
2020188878.tif 000006
【図５】
2020188878.tif 000007
【図６】
2020188878.tif 000008
【図７】
2020188878.tif 000009
【図８】
2020188878.tif 000010
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
つけまつげを収容するつけまつげ保持器であって、
前記つけまつげを収容する第１凹部を有する収容体と、
前記収容体の前記第１凹部に挿入される第１凸部を有する蓋体と、を備え、
前記第１凹部は、平面視において円弧状の形状を有する第１壁面と、第１底面とを含み、
前記第１凸部は、前記第１凸部が前記第１凹部に挿入されているときに前記第１凹部の前記第１壁面に対向し、前記第１壁面との間でつけまつげの基部を挟む第１側面と、第１頂面とを含み、
前記蓋体の前記第１凸部の前記第１頂面は、前記収容体の前記第１凹部の前記第１壁面と前記蓋体の前記第１凸部との間の間隔が、つけまつげの前記基部から離れるにつれて拡大するよう構成されている部分を含む、つけまつげ保持器。
【請求項２】
つけまつげを収容するつけまつげ保持器であって、
前記つけまつげを収容する第１凹部を有する収容体と、
前記収容体の前記第１凹部に挿入される第１凸部を有する蓋体と、を備え、
前記第１凹部は、平面視において円弧状の形状を有する第１壁面と、第１底面とを含み、
前記第１凸部は、前記第１凸部が前記第１凹部に挿入されているときに前記第１凹部の前記第１壁面に対向し、前記第１壁面との間でつけまつげの基部を挟む第１側面と、第１頂面とを含み、
前記つけまつげ保持器の厚み方向における前記蓋体の前記第１凸部の寸法は、前記厚み方向における前記収容体の前記第１凹部の寸法の８／１０以下である、つけまつげ保持器。
【請求項３】
前記収容体の前記第１凹部の前記第１壁面及び前記蓋体の前記第１凸部の前記第１側面はいずれも直線状に延びており、
前記つけまつげ保持器の厚み方向において、前記蓋体の前記第１凸部の前記第１側面の寸法は前記収容体の前記第１凹部の前記第１壁面の寸法よりも小さい、請求項１又は２に記載のつけまつげ保持器。
【請求項４】
つけまつげを収容するつけまつげ保持器であって、
前記つけまつげを収容する第１凹部を有する収容体と、
前記収容体の前記第１凹部に挿入される第１凸部を有する蓋体と、を備え、
前記第１凹部は、平面視において円弧状の形状を有する第１壁面と、第１底面とを含み、
前記第１凸部は、前記第１凸部が前記第１凹部に挿入されているときに前記第１凹部の前記第１壁面に対向し、前記第１壁面との間でつけまつげの基部を挟む第１側面と、第１頂面とを含み、
前記収容体の前記第１凹部の前記第１壁面及び前記蓋体の前記第１凸部の前記第１側面はいずれも直線状に延びており、
前記つけまつげ保持器の厚み方向において、前記蓋体の前記第１凸部の前記第１側面の寸法は前記収容体の前記第１凹部の前記第１壁面の寸法よりも小さく、
前記蓋体の前記第１凸部の前記第１頂面は、前記収容体の前記第１凹部の前記第１壁面と前記蓋体の前記第１凸部との間の間隔が、前記蓋体の前記第１凸部の前記第１側面と前記第１頂面との境界から離れるにつれて拡大するよう、構成されている、つけまつげ保持器。
【請求項５】
前記蓋体の前記第１凸部の前記第１頂面は、前記収容体の前記第１凹部の前記第１底面に向かって突出した湾曲面を有する、請求項３又は４に記載のつけまつげ保持器。
【請求項６】
前記収容体は、前記第１凹部の前記第１壁面の内側に形成されている第２凹部を有し、
前記蓋体は、前記収容体の前記第２凹部に挿入される第２凸部を有し、
前記第２凹部は、平面視において前記第１壁面との間に間隔を有するよう前記第１壁面に沿って広がる第２壁面を含み、
前記第１凸部は、前記第１凸部が前記第１凹部に挿入されているときに前記第２凹部の前記第２壁面に対向する第２側面を含む、請求項１乃至５のいずれか一項に記載のつけまつげ保持器。
【請求項７】
つけまつげを収容するつけまつげ保持器であって、
前記つけまつげを収容する第１凹部を有する収容体と、
前記収容体の前記第１凹部に挿入される第１凸部を有する蓋体と、を備え、
前記第１凹部は、平面視において円弧状の形状を有する第１壁面と、第１底面とを含み、
前記第１凸部は、前記第１凸部が前記第１凹部に挿入されているときに前記第１凹部の前記第１壁面に対向し、前記第１壁面との間でつけまつげの基部を挟む第１側面と、第１頂面とを含み、
前記収容体は、前記第１凹部の前記第１壁面の内側に形成されている第２凹部を有し、
前記蓋体は、前記収容体の前記第２凹部に挿入される第２凸部を有し、
前記第２凹部は、平面視において前記第１壁面との間に間隔を有するよう前記第１壁面に沿って広がる第２壁面を含み、
前記第１凸部は、前記第１凸部が前記第１凹部に挿入されているときに前記第２凹部の前記第２壁面に対向する第２側面を含む、つけまつげ保持器。
【請求項８】
前記つけまつげ保持器の厚み方向において、前記第２凹部の寸法は前記第１凹部の寸法よりも小さい、請求項６又は７に記載のつけまつげ保持器。